(57)【要約】【課題】ホッパから１枚目の帳票とともに分離部に連れ込んでしまった２枚目の帳票をホッパに確実に戻す。【解決手段】給紙装置は、帳票が積載された帳票積載部と、前記帳票積載部から帳票を取り込む際に、上下に重なった帳票を前後方向にずらず第１機構と、前記第１機構により前後方向にずらされた前記複数枚の帳票のうち先行する帳票を挟持して次工程へ搬送する第２機構とを備える。【選択図】図５
2010208800.tif 000002
【特許請求の範囲】
【請求項１】
帳票が積載された帳票積載部と、
前記帳票積載部から帳票を取り込む際に、上下に重なった帳票を前後方向にずらず第１機構と、
前記第１機構により前後方向にずらされた前記複数枚の帳票のうち先行する帳票を挟持して次工程へ搬送する第２機構と
を具備することを特徴とする給紙装置。
【請求項２】
帳票が積載された帳票積載部と、
前記帳票積載部の上に配置されたローラを有し、前記ローラを第１方向に回転させて前記帳票積載部に積載された前記帳票の面に当接した前記ローラの摩擦力により前記帳票を装置内に取り込む帳票取込部と、
前記帳票取込部により装置内に取り込まれる前記帳票を、搬送路を挟んで上下に対向配置した複数のローラとこれらのローラにかけ渡したベルトにより構成される上部回転機構および下部回転機構により挟持し、前記上部回転機構を前記第１方向に回転させ、前記下部回転機構を停止または前記第１方向とは逆の第２の方向に回転させることで、重送される前記帳票を分離する分離部と
を備え、
前記下部回転機構のベルトを、
前記上部回転機構と前記下部回転機構とで前記帳票が挟持される位置の手前で、ベルト面が前記帳票に対して斜めに当たるように配設したことを特徴とする給紙装置。
【請求項３】
前記帳票積載部が、前記帳票を縦または斜めに積載し、
前記下部回転機構が、
前記帳票積載部から縦または斜め下の方向に取り込まれる前記帳票を、前記ベルトの斜めのベルト面へ導くガイド機構をさらに具備することを特徴とする請求項２記載の給紙装置。
【発明の詳細な説明】
【技術分野】
【０００１】
本発明は、例えばホッパテーブル等の積載部に積載された帳票を、光学的帳票読取装置などの帳票処理装置の内部へ一枚ずつ取り込む給紙装置に関する。
【背景技術】
【０００２】
ホッパテーブルに積載した帳票を給紙部で装置内部の搬送路に取り込み、搬送路に設けられた光学読み取り部により帳票に記された文字や図形等をイメージとして読み取る紙葉類移動型の光学的帳票読取装置、つまりシートフェッド型光学的帳票読取装置が知られている。
【０００３】
従来のシートフェッド型光学的帳票読取装置の給紙部には、通常、ローラおよびベルトにより構成される分離部が１段階だけ設けられており、帳票をホッパテーブルから取り込むのに、１段の分離部で帳票を取り込み１枚ずつに分離しつつ搬送路へ送り出すようにしている（例えば特許文献１参照）。
【先行技術文献】
【特許文献】
【０００４】
【特許文献１】特開２００６−１５１６３６号公報
【発明の概要】
【発明が解決しようとする課題】
【０００５】
しかしながら、上述した先行技術の場合、ローラやベルトで構成される分離部だけでは帳票を１枚ずつ確実に分離することができず、複数枚の帳票が重なったままで後段の処理部へ送られることがあり、重送が原因で読み取り処理されない帳票やジャムなどの不具合が発生するという問題があった。
【０００６】
本発明はこのような課題を解決するためになされたもので、帳票を積載した積載部から装置内に取り込んだ帳票を一枚ずつ確実に搬送することができる給紙装置を提供することを目的とする。
【課題を解決するための手段】
【０００７】
上記の課題を解決するために、本発明の給紙装置は、帳票が積載された帳票積載部と、前記帳票積載部から帳票を取り込む際に、上下に重なった帳票を前後方向にずらず第１機構と、前記第１機構により前後方向にずらされた前記複数枚の帳票のうち先行する帳票を挟持して次工程へ搬送する第２機構とを備える。
また、本発明の給紙装置は、帳票が積載された帳票積載部と、前記帳票積載部の上に配置されたローラを有し、前記ローラを第１方向に回転させて前記帳票積載部に積載された前記帳票の面に当接した前記ローラの摩擦力により前記帳票を装置内に取り込む帳票取込部と、前記帳票取込部により装置内に取り込まれる前記帳票を、搬送路を挟んで上下に対向配置した複数のローラとこれらのローラにかけ渡したベルトにより構成される上部回転機構および下部回転機構により挟持し、前記上部回転機構を前記第１方向に回転させ、前記下部回転機構を停止または前記第１方向とは逆の第２の方向に回転させることで、重送されてきた前記帳票を分離する分離部とを備え、前記下部回転機構のベルトを、前記上部回転機構と前記下部回転機構とで前記帳票が挟持される位置の手前で、ベルト面が前記帳票に対して斜めに当たるように配設したことを特徴とする。
【発明の効果】
【０００８】
本発明によれば、帳票を積載した積載部から装置内に取り込んだ帳票を一枚ずつ確実に搬送することができる。
【図面の簡単な説明】
【０００９】
【図１】本発明の一つの実施の形態の光学的帳票読取装置の外観図である。
【図２】図１の光学的帳票読取装置の構成を概略的に示す側面図である。
【図３】図１の光学的帳票読取装置の制御系の構成を機能的に示すブロック図である。
【図４】光学的帳票読取装置の給紙部の詳細構成を示す図である。
【図５】帳票の取り込みを開始したときの給紙部の様子を示す図である。
【図６】他の実施形態を示す図である。
【図７】他の実施形態の動作を示す図である。
【発明を実施するための形態】
【００１０】
以下、本発明を実施するための最良の形態を図面に基づき説明する。図１は本発明の一つの実施の形態の光学的帳票読取装置の概観図、図２はこの光学的帳票読取装置の構成を概略的に示す側面図、図３はこの光学的帳票読取装置の制御系を機能的に示すブロック図、図４は給紙部の拡大図である。
【００１１】
図１に示す光学的帳票読取装置は、帳票取込口と帳票排出口が筐体１の前面部に設けられたものである。光学的帳票読取装置は、帳票取込口から帳票等の紙葉類を装置内部に取り込み循環型の搬送路を搬送しつつ帳票上に記された文字や図形等をイメージデータ（画像）として読み取り、情報を正常に読み取った帳票に対して印字処理などを施した上で帳票排出口から排出するシートフェッド型光学的帳票読取装置である。
【００１２】
筐体１の前面部には、表示部としてのディスプレイ４７と操作部４８が設けられている。ディスプレイ４７には、操作手順等の各種メニューと処理状況及びエラー内容等が表示される。操作部４８には、帳票の処理開始や停止を指示したり、またエラーを解除したりするための操作釦類が設けられている。
【００１３】
この光学的帳票読取装置は、図２乃至図４に示すように、筐体１の前面から突出して設けられた帳票積載部としてのホッパテーブル２（以下「ホッパ２」と称す）と、筐体１の帳票取込口付近に設けられた給紙部１１と、この給紙部１１の搬送方向下流に設けられた光学読取部１４と、さらに搬送方向下流に設けられた印字部と、フラッパ１７、アクセプトスタッカ１８、リジェクトスタッカ１９などの帳票振分部と、装置内の各部に電力を供給する電源部２０と、装置内の各部を制御するコントローラ４０とを備えている。
【００１４】
コントローラ４０は、図３に示すように、ＣＰＵ４１、メモリ４２およびインターフェース４３を有している。
インターフェース４３には、この装置内の各部からの内部バスが接続されている。各部とは、光学読取部１４、表示部としてのディスプレイ４７、操作部４８、モータ、ベルト、ギヤを含む駆動部４４、変位センサ９や搬送路の各ポイントに設けられた帳票センサ等のセンサ類、印字ヘッド１５等である。
【００１５】
ホッパ２は、筐体１の帳票取込口に昇降自在に設けられている。ホッパ２には、装置内部に取り込まれる帳票Ｐが多数積み重ねられた状態で載置される。
なお、帳票については、重送を考慮しない説明では単に帳票Ｐと表し、帳票分離時に重送を考慮する場合は、上から順に帳票Ｐ１，帳票Ｐ２等と表すものとする。
【００１６】
給紙部１１は、ピックアップローラ３などの帳票取込部と、フィードローラ４およびベルト５、セパレートローラ７ａ〜７ｄおよびベルト６などを有する分離部６０と、上部搬送用ローラとしてのピンチローラ８ａと下部搬送用ローラとしてのドライブローラ８ｂと、ピンチローラ８ａの上に配置された変位センサ９とで構成される紙厚検出部１０とを備えている。
【００１７】
ピックアップローラ３は、ホッパ２の上部に配置されている。ピックアップローラ３のローラ下面は、基準搬送位置Ｔとほぼ一致するように配置されている。ピックアップローラ３は、上昇したホッパ２に積載された多数の帳票Ｐの最上面に当接し、駆動部４４によって、図に向かって時計回りの矢印Ｂ方向に回動されることで最上部の帳票Ｐをローラ表面の摩擦力で帳票取込口から装置内部へ取り込む。
【００１８】
分離部６０は、ベルト５で連結された２つのフィードローラ４（上部回転機構）と、ベルト５の下部に対向して配置されたベルト６と、このベルト６を矢印Ａ方向駆動するセパレートローラ７ａ〜７ｄ（下部回転機構）とで構成されている。フィードローラ４の駆動軸は、ピックアップローラ３のシャフトとギヤまたはタイミングベルト等で接続されており、軸自体は同方向に回動するが、フィードローラ４にワンウェイクラッチが内蔵されているため、ローラ自体の動きは異なる。ベルト５，６は、搬送路を上下に挟んで対向配置した複数のローラ（フィードローラ４,セパレートローラ７ａ〜７ｄ）により駆動される。
【００１９】
すなわち、分離部６０は、ホッパ２から帳票Ｐを取り込む際に、上下に重なった帳票Ｐ１，Ｐ２を前後方向にずらず第１機構（事前捌き機構ともいう）と、この第１機構により前後方向にずらされた複数枚の帳票Ｐ１，Ｐ２のうち先行する帳票Ｐ１の先端を挟持して次工程へ搬送する第２機構とを備えている。
【００２０】
第１機構は、ベルト６の一部に形成した傾斜区間６ａ（図５参照）であり、上下に重なった帳票Ｐ１，Ｐ２のうちベルト面に当接した下側の帳票Ｐ２を摩擦で遅らせることで、上側の帳票Ｐ１を帳票Ｐ２よりもわずかに先行させるようにずらす。また第２機構は、傾斜区間６ａでずらされた帳票Ｐ１を上下のベルト５，６の挟持する部分である。この第２機構は、上下のベルト５，６で帳票Ｐ１を挟持し、上部回転機構を第１方向（時計回りの方向または給紙方向）に回転させ、下部回転機構を停止または第１方向とは逆の第２の方向（反時計回りの方向または排紙方向）に回転させることで、先端部が先に到達した帳票Ｐ１のみを引き込み、次工程へ送る。これにより、帳票Ｐ１と帳票Ｐ２が確実に分離される。
【００２１】
２つのフィードローラ４は、搬送路の上部に搬送路と平行して配置されている。フィードローラ４は、ピックアップローラ３により装置内に引き込まれた帳票Ｐを下流の搬送方向へ送り込むための駆動ローラである。ベルト５は、２つのフィードローラ４に架けられており、ベルト下面が帳票Ｐの搬送機能の一端を担う。
【００２２】
４つのセパレートローラ７ａ〜７ｄのうちの一つはドライブローラであり、他はプーリーである。例えば、セパレートローラ７ｃがドライブローラである。セパレートローラ７ｃは、トルクリミッター付きのものであり、最上部の帳票Ｐ１が１枚に分離された後、トルクリミッターによりベルト５と同方向に回転する。
【００２３】
セパレートローラ７ｂとセパレートローラ７ｃは、搬送路の下部に搬送路と平行して配置されており、これら２つのローラにベルト６が架けられ、この区間のベルト上面が帳票Ｐの搬送機能の一端を担うよう構成されている。つまり、ベルト６の上面とベルト５の下面が帳票Ｐを挟んで搬送する挟持部となる。
【００２４】
セパレートローラ７ａは、ピックアップローラ３とフィードローラ４の間の搬送路下部に配置されている。セパレートローラ７ａは、セパレートローラ７ｂの設置位置よりも搬送路に対して低い位置に配置されている。この関係で、セパレートローラ７ｂからセパレートローラ７ａに架けられたベルト６の面が傾斜（傾斜区間６ａ）している。つまり帳票Ｐが帳票取込口から装置内に取り込まれるときにベルト６の傾斜区間６ａに当たるようになっている。
【００２５】
セパレートローラ７ｄは、セパレートローラ７ａとセパレートローラ７ｂの中間でかつこれらローラの設置位置よりもさらに低い位置に配置されている。配置された４つのセパレートローラ７ａ〜７ｄにベルト６が架けられ、セパレートローラ７ｃの駆動力でベルト６にテンションが発生する。
すなわち、下部回転機構のベルト６は、上部回転機構と下部回転機構とで帳票Ｐが挟持される位置（平行な上記ベルト６の上面部分とベルト５の下面部分）の手前で、傾斜区間６ａに帳票Ｐが当たるように配設されている。
【００２６】
ベルト５，６は、ピックアップローラ３により矢印Ｃの方向に繰り出された帳票Ｐを互いの面で挟持する。ベルト５が正転方向（矢印Ｂ）に回転するのに対してベルト６は矢印Ａ方向へ逆転する。したがって、例えば複数の帳票Ｐ１，Ｐ２が重送されてきたときに上部の第１帳票Ｐ１と下部の第２帳票Ｐ２とが、ベルトの摩擦でそれぞれの回転方向にずれる。これにより、互いの帳票Ｐ１，Ｐ２が分離し、第１帳票Ｐ１のみが搬送方向へ進むようになる。
【００２７】
紙厚検出部１０のピンチローラ８ａ及びドライブローラ８ｂは、基準搬送位置Ｔを挟んで上下に対向して配置されている。ドライブローラ８ｂは駆動部４４により回転駆動されてピンチローラ８ａとで帳票Ｐを挟んで引き込み、下流へ搬送する搬送機構の一部である。
【００２８】
搬送機構は、この他、ベルト、ガイドレールなども備えており、帳票取込口のホッパ２からピックアップローラ３により筐体１の内部に取り込まれた帳票Ｐを搬送する。ピンチローラ８ａは、帳票Ｐがこの位置を通過する際に、ドライブローラ８ｂとで挟んだ帳票Ｐの厚みに応じて帳票搬送方向と直交する方向（図の上下方向）に高さが変位するように設けられている。
【００２９】
変位センサ９は、帳票の重送を検知する重送検知手段である。変位センサ９は、ピンチローラ８ａの上面を検知する位置に設けられ、ピンチローラ８ａの変位量を検出する。変位センサ９は、変位量を示す位置検知信号をコントローラ４０へ送出する。ＣＰＵ４１は、変位センサ９からの位置検知信号を受けて変位量と予めメモリ４２に設定された一枚の帳票の基準紙厚とを比較して帳票Ａの重送判定を行う。基準紙厚は、例えば０．０９ｍｍ±０．０２ｍｍなどといった範囲を持っている。
【００３０】
なお、重送検知手段としては、上述した変位センサ９の他に、例えば超音波センサを用いてもよい。超音波センサは、超音波を発信する送信器と受信器を、搬送路を挟んで対向配設したものである。送信器からは、搬送空間に超音波を発信し、受信器がその超音波を受信し、送信器と受信器との間を帳票Ｐが通過したときの超音波の減衰情報をＣＰＵ４１が重送検知用のしきい値と比較して帳票Ｐの重送を検知するものである。
【００３１】
光学読取部１４以降に設けられている他のピンチローラ１３及びドライブローラ１２は、図２のように帳票Ｐの搬送経路を形成するように上下に対向し、装置内のそれぞれのポイントに配置されている。
【００３２】
メモリ４２には、この装置の制御プログラムが記憶されており、電源投入と共にＣＰＵ４１により読み込まれて、ＣＰＵ４１が制御動作を実行するようになる。この他、メモリ４２は、光学読取部１４で読み取った画像がＣＰＵ４１により処理される際にデータの処理領域として利用される。
【００３３】
ＣＰＵ４１は、駆動部４４を制御して、ピックアップローラ３、フィードローラ４、セパレートローラ７ａ〜７ｄ、ドライブローラ８ｂ，１２などを駆動する。
例えばＣＰＵ４１は、操作部４８から帳票Ｐの読み取り開始操作が行われ、その指示を受け付けると、ホッパ昇降用のモータ（駆動部４４）を制御してホッパ２を上昇させる。またこれと共にＣＰＵ４１は、ピックアップローラ３を矢印Ｂ方向へ回転させる。
【００３４】
光学読取部１４は、給紙部１１の下流の搬送路上に設けられている。光学読取部１４は、搬送路上の帳票Ｐから画像を読み取る画像読取ユニットであり、例えば密着型のＣＣＤラインセンサ（密着センサ）などである。
【００３５】
印字ヘッド１５は、搬送経路の下流の帳票排出口に近い位置に設けられている。印字ヘッド１５は、プラテンローラ１６に対向して設けられている。印字ヘッド１５と対向配置されたプラテンローラ１６とを合わせて印字部と称す。印字ヘッド１５は、光学読取部１４により情報が正常に読み取られた帳票Ｐに対して、例えば整理番号や処理済みを示すマーク等を印字する。
【００３６】
フラッパ１７は、印字ヘッド１５よりも搬送方向下流（帳票排出口手前）に設けられている。フラッパ１７は、ＣＰＵ４１により制御されて帳票Ｐをアクセプトスタッカ１８またはリジェクトスタッカ１９の方向に振り分ける。
アクセプトスタッカ１８は、読み取り処理が正常に行われた帳票Ｐが集積される帳票集積部である。リジェクトスタッカ１９は、読み取り処理が正常に行わなかった帳票Ｐが集積される帳票集積部である。
【００３７】
以下、図５を参照してこの光学的帳票読取装置の動作を説明する。
この光学的帳票読取装置では、操作部４８より処理開始の指示コマンドの入力があった場合、コントローラ４０は、ピックアップローラ３を矢印Ｂ方向へ回転させ、駆動部４４を制御してホッパ２を上昇させる。
【００３８】
そして、ホッパ２上に積載された帳票Ｐのうちの最上部の帳票Ｐ１が、ピックアップするのに最適な高さになった基準搬送位置Ｔでピックアップローラ３に当接し、この位置に配置されたセンサにより「暗」検知されて、コントローラ４０はホッパ２の上昇を停止させる。ここで、回転しているピックアップローラ３により最上部の帳票Ｐが搬送路内へ引き入れられる。
【００３９】
ホッパ２を停止後、コントローラ４０は、フィードローラ４を正転（矢印Ｂ方向）すると共に、セパレートローラ７ａ〜７ｄを逆転（矢印Ａ方向）するよう駆動部４４を制御する。各ローラの回転で、ピックアップローラ３により繰り出された帳票Ｐが搬送路内に取り込まれる。
なお、帳票Ｐの取り込み動作は、停止を指示するコマンドが入力されるか、または帳票Ｐがホッパ２からなくなるまで繰り返される。
【００４０】
ここで、装置内に引き入れられた帳票Ｐが重送（最上部の帳票Ｐ１とその下の帳票Ｐ２が重なった状態）であったものとする。この場合、搬送路内に引き入れられた帳票Ｐ１，Ｐ２は、矢印Ａ方向に回転するベルト６の傾斜区間６ａに当接し、上側の帳票Ｐ１と下側の帳票Ｐ２にずれが生じる。このように上下の帳票Ｐ１，Ｐ２に対して、搬送方向の前後にずれを発生させる機構を事前捌き機構という。
【００４１】
この事前捌き機構による事前捌きで、ずらされた上下の帳票Ｐ１，Ｐ２のうち上側の帳票Ｐ１の先端部がベルト５、６の位置まで到達すると、下側の帳票Ｐ２に比べて若干先行する帳票Ｐ１がベルト５、６によって挟持されてベルト５、６の回転力で搬送方向に確実に搬送される。
【００４２】
つまり、この装置では、ホッパ２に積載された帳票Ｐを帳票取込口から装置内部へ取り込む際に、複数枚の帳票Ｐ１，Ｐ２をベルト６の一部に形成した傾斜区間６ａに当接させることで事前捌きを行い、帳票Ｐ１，Ｐ２が重送状態にあるときに帳票Ｐ１，Ｐ２に対して前後方向のずれを生じさせ（第１段階目）、次のベルト５、６どうしの対向位置で、前後にずれて先行した帳票Ｐ１の先端部分を引き込むことで紙厚検出部１０へ確実に搬送する（第２段階目）。このように帳票取込口近傍で重送状態にある帳票Ｐ１，Ｐ２を２段構えで分離して紙厚検出部１０へ送る。
【００４３】
紙厚検出部１０では、ドライブローラ７とピンチローラ８との間を帳票Ｐ１が通過するときに帳票Ｐ１の紙厚でピンチローラ８が上方に持ち上げられてピンチローラ８の高さが変位する。この高さの変位量を変位センサが検出し、変位量を示す位置検知信号をコントローラ４０へ送る。
【００４４】
コントローラ４０において、変位量と予め設定された帳票一枚の基準紙厚とを比較して帳票Ｐ１の厚みが正常か否かを判定する。
この判定の結果、帳票Ｐの厚みが正常ではない場合、ＣＰＵ４１は、ブザーやディスプレイ４７などからアラーム（警報音または警告表示）を発生させ、装置を停止する。
【００４５】
光学読取部１４で帳票Ｐ１の画像を読み取っているときは、画像が伸縮しないようにドライブローラ７をパルスモータで定速に駆動する。この間、分離した残りの帳票Ｐ２が分離部６から紙厚検出部１０の側へ入って来ないようにコントローラ４０がフィードローラ４の回転を制御する。
【００４６】
光学読取部１４により読み取られた画像の電気信号がコントローラ４０へ出力される。ＣＰＵ４１は、入力された電気信号から帳票の表面の画像を生成し、その画像についての後処理を行う。後処理としては、文字認識処理などである。このようにして光学読取部１４およびコントローラ４０にて、表面の読み取り処理が行われた帳票Ｐは、搬送路上を印字ヘッド１５の側へ搬送される。
【００４７】
ＣＰＵ４１は、文字認識処理が正常に終了した場合、印字ヘッド１５の位置に達した帳票Ｐに対して印字ヘッド１５により印字処理を行う。
例えばＣＰＵ４１は、印字ヘッド１５を制御して、搬送されてきた帳票Ｐが読み取り処理済みのものであることを示す整理番号を印字部で印字する。そして、ＣＰＵ４１は、フラッパ１７を駆動して搬送方向をアクセプトスタッカ１８の側へ切り替えて、印字済みの帳票Ｐを振り分け、アクセプトスタッカ１８へ集積する。
【００４８】
一方、上記画像読み取り後、文字認識処理が正常に終了しなかった場合、ＣＰＵ４１は、印字することなく、フラッパ１７を駆動して搬送方向をリジェクトスタッカ１９の側へ切り替えて、その帳票Ｐをリジェクトスタッカ１９へ集積する。
このような動作を繰り返し、ホッパ２に帳票Ｐがなくなるか、または停止を指示するコマンド（停止命令）が入力されると、ＣＰＵ４１は、帳票Ｐの読み取り動作を停止する。
【００４９】
このようにこの実施形態の光学的帳票読取装置によれば、分離部６０の入口（挟持部の手前の位置）に、逆転するベルト６に上りの傾斜区間６ａを形成して帳票Ｐを事前捌きする事前捌き機構（ベルト６の傾斜区間６ａ）を設けた。これにより、複数枚の帳票Ｐ１，Ｐ２が重送（ダブルフィード）されたときに、ベルト６の傾斜区間６に当接した下側の帳票Ｐ２が停止または後退してずれるので、ベルト５，６の挟持部には上側の帳票Ｐ１の先端部が先に到達し、挟持部で帳票Ｐ１を帳票Ｐ２から確実に分離することができる。すなわち、重送される帳票Ｐ１，Ｐ２を給紙部１１において２段構えで分離することで、帳票Ｐ１と帳票Ｐ２を確実に分離し、次工程へ搬送することができる。
【００５０】
以上、光学的帳票読取装置を例にして、本発明を具体的に説明したが、本発明はこれらの実施形態にのみ限定されるものではなく、帳票を重送することなく搬送することが必要な給紙装置を有するものであれば適用可能である。また、その要旨を逸脱しない範囲で種々変更可能である。
【００５１】
以下、図６，図７を参照して上記実施形態の変形例について説明する。なお上記実施形態と同じ構成には同一の符号を付しその説明は省略する。
図６に示すように、この変形例は、帳票Ｐを斜めに積載する帳票積載部２ａとコロ６１とを備える場合の例である。
この場合、帳票積載部２ａは、斜め下の方向に帳票取込口が設けられているため、帳票Ｐは斜め下の方向に取り込まれる。コロ６１は、ピックアップローラ３に対向して帳票取込口の下側に配置され、帳票Ｐをベルト６の上り方向に設置された傾斜区間６ａへ導くガイド機構として機能する。
【００５２】
この変形例の場合、帳票Ｐは、ピックアップローラ３が矢印Ｂ方向に回転することにより帳票積載部２ａから斜め下の方向に取り込まれる。
すると、図７に示すように、ピックアップローラ３の下に配置されたコロ６１が、帳票Ｐを傾斜区間６ａへ導くので、複数の帳票Ｐ１，Ｐ２が重送された場合に、上記図５で示した場合と同様に下側の帳票Ｐ２が傾斜区間６ａに当たり（符号５０参照）、上の帳票Ｐ１に対し下側の帳票Ｐ２の事前捌きが行われる。
【００５３】
従って、この例の場合も、図４，図５で示した場合と同様に、逆転するベルト６の傾斜区間６ａに当接し、下側の帳票Ｐ２が停止または後退し、帳票Ｐ１の面に対してずれが生じるので、その後の挟持の際に先端部が先行する上側の帳票Ｐ１を下側の帳票Ｐ２から確実に分離して搬送することができる。すなわち、重送（ダブルフィード）される帳票Ｐを給紙部１１において事前捌きと本捌きの２段構えで分離することで、確実に分離し、後段の処理部へ搬送することができる。
【００５４】
なお、上記実施形態では、ローラにかけたベルト５，６で搬送路を構成したが、ローラとガイドまたはローラだけで搬送路を構成してもよい。
また上記実施形態では、コントローラ４０に、搬送制御機能と画像読取および文字認識機能を持たせたが、光学的帳票読取装置に通信ケーブルなどで接続したコンピュータなどのホストコンピュータに文字認識機能を受け持たせてもよい。
上記実施形態では、下部回転機構を逆回転させたが、上部回転機構と速度差が生じればよく、例えば下部回転機構のローラを回転させずに停止したり、または上部回転機構のローラよりも下部回転機構のローラを低速に回転させても良い。
【符号の説明】
【００５５】
Ｐ，Ｐ１，Ｐ２…帳票、１…筺体、２…ホッパテーブル（ホッパ）、２ａ    帳票積載部、３…ピックアップローラ、４…フィードローラ、５，６…ベルト、６ａ…傾斜区間、７ａ〜７ｄ，８ｂ，１２…ドライブローラ、８ａ，１３…ピンチローラ、９…変位センサ、１０…紙厚検出部、１１…給紙部、１５…印字ヘッド、１６…プラテンローラ、１７…フラッパ、１８…アクセプトスタッカ、１９…リジェクトスタッカ、４０…コントローラ、６０…分離部、６１…コロ。
【図１】
2010208800.tif 000003
【図２】
2010208800.tif 000004
【図３】
2010208800.tif 000005
【図４】
2010208800.tif 000006
【図５】
2010208800.tif 000007
【図６】
2010208800.tif 000008
【図７】
2010208800.tif 000009